(57)【要約】【課題】大きさをコンパクトにできる可変入賞装置を提供する。【解決手段】扉部材１０は、球受部１０ａに扉部材１０の開放時に遊技球を球通路１６に誘導する誘導面１２ａと扉部材１０を開放する際に開閉作動部材３０が当接可能な蹴り上げ面１３とを有する突出リブ１２が設けられ、開閉作動部材３０には、ハウジング７に回動自由に軸支された軸支部３１と、扉部材１０が閉鎖状態のとき蹴り上げ面１３の下方に臨ませる作動部３３が設けられており、開閉作動部材３０の回動により、作動部３３で蹴り上げ面１３を蹴り上げて扉部材１０が開放され、突出リブ１２により遊技球が入賞口１８方向に誘導される可変入賞装置。【選択図】図５
2010264105.tif 000002
【特許請求の範囲】
【請求項１】
遊技盤の前面側にて開口し、かつ内部に球通路を有すると共に該球通路と連通する入賞口を有するハウジングと、前記開口部に対応して設けられた球受部と該球受部の下部側部を回転軸部として開閉自在に設けられる扉部材と、該扉部材を前記開口部に遊技球が流入可能な開放状態と流入不可能な閉鎖状態との間で作動させる開閉作動部材を備えた可変入賞装置であって、
前記扉部材は、内面を球受部とし、該球受部に扉部材の開放時に遊技球を前記球通路に誘導する誘導面と扉部材を開放する際に前記開閉作動部材が当接可能な蹴り上げ面とを有する突出リブが設けられ、
前記開閉作動部材には、前記ハウジングに回動自由に軸支された軸支部と、該軸支部より前方へ延び、前記扉部材が閉鎖状態のとき前記蹴り上げ面の下方に臨ませる作動部が設けられており、
前記開閉作動部材の回動により、前記作動部が前記蹴り上げ面を蹴り上げて前記扉部材を開放し、前記誘導面により遊技球を前記球通路に誘導するようにしたことを特徴とする可変入賞装置。
【請求項２】
前記蹴り上げ面は、前記回転軸部より上方に形成されている請求項１記載の可変入賞装置。
【請求項３】
前記扉部材には、前記作動部に当接し、前記扉部材を閉鎖状態に維持する突起部が前記蹴り上げ面の下方位置に間隔を存して形成されている請求項１または２記載の可変入賞装置。
【請求項４】
前記球通路には、前記誘導面と連続するように遊技球を前記入賞口に誘導するガイド部が形成されている請求項１ないし請求項３のいずれか１項に記載の可変入賞装置。
【請求項５】
前記ハウジングには、前記扉部材の回転軸線方向に動くプランジャーを有するソレノイドと、前記プランジャーに連結された可動部材と、前記開閉作動部材が収納されており、前記開閉作動部材は、前記ハウジングに前記扉部材の回転軸と直交する方向に回動軸を有し、前記回動軸が扉部材の側部より内側に設けられ、前記可動部材の進退運動により回動されるものとなっている請求項１ないし４のいずれか１項に記載の可変入賞装置。
【請求項６】
前記開閉作動部材と前記可動部材には、扉部材に強制的に開放方向へ動作させようとする外力が作用した場合に前記扉部材の開放状態への動作を阻止するロック手段を備えている請求項１ないし５のいずれか１項に記載の可変入賞装置。
【請求項７】
前記ロック手段は、開閉作動部材の軸支部の外周に設けられた開閉作動部材側凸状部と、前記可動部材に設けた可動部材側凸状部とにより構成され、前記扉部材の閉鎖時に、扉部材に強制的に開放方向へ動作させようとする外力が作用した場合に、該開閉作動部材側凸状部が、前記可動部材側凸状部と当接することにより前記扉部材の開放状態への動作を阻止する請求項６に記載の可変入賞装置。
【請求項８】
請求項１ないし７のいずれか１項に記載の可変入賞装置が遊技盤に固定配置されたことを特徴とする遊技機。
【発明の詳細な説明】
【技術分野】
【０００１】
本発明は、可変入賞装置及びそれを備えた遊技機に関する。
【背景技術】
【０００２】
パチンコ機などの遊技機には、可変入賞装置として、始動入賞口（スタートチャッカー）や大入賞口（アタッカー）等が備えられ、「アタッカー」と称される入賞装置は、扉状に構成され、遊技盤の前面部に設けられる取付け部に対して、下端面部の側部に回動軸心を設けて前後に回動可能に取り付けられ、後方に回動して起立状態となると、大入賞口を閉鎖し、前方に回動して前傾状態となると、大入賞口を開放する扉部材を備えている。該扉部材には両側背面部に突起部が設けられ、遊技球を大入賞口、通路に案内するための入賞球案内用突起とし、正面視して右側の突起部の下端側部分に開閉アームと当接する第１の当接部と、第２の当接部が構成されている。
開閉アームは回動支点部を中心に回動される。開閉アームは回動支点よりも、前方を前方部とし、回動支点よりも後方を後方部としている。ソレノイドコイルへ通電を行わないとき、プランジャーの係止部は前方に駆動され、係止部が後方部を前方に押圧し、開閉アームは、回動支点を中心に閉鎖方向に回転する。前方部は前端部を前傾して第１当接部に当接する。前方部の前端部が、第１の当接部を下方に押圧するため、開閉扉は回動軸を中心に後方へ回動し、起立状態となる。
一方、ソレノイドコイルへ通電を行うと、プランジャーの係止部は後方に駆動され、係止部が後方部を後方に押圧し、開閉アームは回転支点部を中心に閉鎖方向に回転する。前方部は前端部を上方に傾斜させ、第２の当接部に当接する。前方部の前端部が第２の当接部を上方に押圧するため、開閉扉は回転軸を中心に回動し、前傾状態となる。大入賞口が開放状態となることが開示されている。
（例えば、特許文献１参照）。
【０００３】
また、開閉扉を開閉する開閉作動手段が、開放作動位置と閉鎖作動位置との間で往復動可能な開閉作動部を備え、開閉作動部が開放作動位置から閉鎖作動位置まで移動する際に開閉扉の閉鎖係合部に係合して、開状態にある開閉扉を閉状態まで揺動させるものが開示されている（特許文献２参照）。
【先行技術文献】
【特許文献】
【０００４】
【特許文献１】特開２００６−３２６１３３号公報
【特許文献２】特開２００６−１３０１３４号公報
【発明の概要】
【発明が解決しようとする課題】
【０００５】
上述した特許文献１及び特許文献２の遊技機は、開閉扉が下端部の両側において、開閉扉の下端面部の側部に設けた突起部、閉鎖係合部に係合する開閉作動部が開閉扉の端面より幅広となり、また開閉作動部、ソレノイドが、開閉扉の突起部、閉鎖係合部の後方に開閉扉に直交する方向に一直線状に配設されているので、可変入賞装置の横幅、奥行きが大きくなる。したがって、最近のパチンコ機は、特別図柄表示装置（液晶表示装置）が益々大型化して遊技領域の広い面積を占有し、入賞装置を取り付ける面積が狭くなっており、また奥行きも各種基板で制約され、前記した可変入賞装置の取付けが困難になるという問題が生じている。
【０００６】
最近の特別図柄表示装置（液晶表示装置）が益々大型化していることに鑑みて、可変入賞装置をコンパクト化することが要望されている。
【０００７】
本発明は、上記実情に鑑みてなされたものであり、扉部材に遊技球を球通路に誘導する誘導面と扉部材を開放する際に開閉作動部材が当接可能な蹴り上げ面とを有する突出リブを設け、突出リブで入賞口へ遊技球を誘導できるとともに扉部材の開放を確実とし、かつ大きさをコンパクトにできる可変入賞装置及びそれを備えた遊技機を提供することを目的とする。
【０００８】
さらに、本発明は、扉部材の閉鎖時に扉部材に強制的に開放方向へ動作させようとする外力が作用した場合に扉部材の開放を阻止するロック手段を備え、不正行為の防止を図ることを目的とする。
【課題を解決するための手段】
【０００９】
上記目的を達成するものは、以下（１）から（８）を特徴とする可変入賞装置及びそれを備えた遊技機である。
（１）  本発明の可変入賞装置は、遊技盤の前面側にて開口し、かつ内部に球通路を有すると共に該球通路と連通する入賞口を有するハウジングと、前記開口部に対応して設けられた球受部と該球受部の下部側部を回転軸部として開閉自在に設けられる扉部材と、該扉部材を前記開口部に遊技球が流入可能な開放状態と流入不可能な閉鎖状態との間で作動させる開閉作動部材を備えた可変入賞装置であって、
前記扉部材は、内面を球受部とし、該球受部に扉部材の開放時に遊技球を前記球通路に誘導する誘導面と扉部材を開放する際に前記開閉作動部材が当接可能な蹴り上げ面とを有する突出リブが設けられ、
前記開閉作動部材には、前記ハウジングに回動自由に軸支された軸支部と、該軸支部より前方へ延び、前記扉部材が閉鎖状態のとき前記蹴り上げ面の下方に臨ませる作動部が設けられており、
前記開閉作動部材の回動により、前記作動部が前記蹴り上げ面を蹴り上げて前記扉部材を開放し、前記誘導面により遊技球を前記球通路に誘導するようにしたことを特徴とする。
【００１０】
（２）  前記蹴り上げ面は、前記回転軸部より上方に形成されている。
（３）  前記扉部材には、前記作動部に当接し、前記扉部材を閉鎖状態に維持する突起部が前記蹴り上げ面の下方位置に間隔を存して形成されている。
（４）  前記球通路には、前記誘導面と連続するように遊技球を前記入賞口に誘導するガイド部が形成されている。
【００１１】
（５）  前記ハウジングには、前記扉部材の回転軸線方向に動くプランジャーを有するソレノイドと、前記プランジャーに連結された可動部材と、前記開閉作動部材が収納されており、前記開閉作動部材は、前記ハウジングに前記扉部材の回転軸と直交する方向に回動軸を有し、前記回動軸が扉部材の側部より内側に設けられ、前記可動部材の進退運動により回動されるものとなっている。
【００１２】
（６）  前記開閉作動部材と前記可動部材には、扉部材に強制的に開放方向へ動作させようとする外力が作用した場合に前記扉部材の開放状態への動作を阻止するロック手段を備えている。
（７）  前記ロック手段は、開閉作動部材の軸支部の外周に設けられた開閉作動部材側凸状部と、前記可動部材に設けた可動部材側凸状部とにより構成され、前記扉部材の閉鎖時に、扉部材に強制的に開放方向へ動作させようとする外力が作用した場合に、該開閉作動部材側凸状部が、前記可動部材側凸状部と当接することにより前記扉部材の開放状態への動作を阻止する。
【００１３】
（８）  本発明の遊技機は、上記可変入賞装置が遊技盤に固定配置されたことを特徴とする。
【発明の効果】
【００１４】
本発明の可変入賞装置の（１）によれば、扉部材に遊技球を球通路に誘導する誘導面と扉部材を開放する際に開閉作動部材が当接可能な蹴り上げ面とを有する突出リブを設けたので、突出リブで入賞口へ遊技球を誘導できるとともに扉部材を確実に開放できる。そして、突出リブの蹴り上げ面の位置に開閉作動部材を当接させるので、コンパクトにすることができる。
【００１５】
（２）によれば、蹴り上げ面は、回転軸部より上方に形成されているので、球受部の高さ（扉部材の高さ）内で開閉作動部材（作動部）と当接でき、高さ方向をコンパクトにすることができる。
（３）によれば、扉部材には、作動部に当接し、扉部材を閉鎖状態に維持する突起部が蹴り上げ面の下方位置に間隔を存して形成されているので、球受部の横幅（扉部材の横幅）内に配置でき、可変入賞装置の横幅をコンパクトにすることができる。
（４）によれば、球通路には、誘導面と連続するように遊技球を入賞口に誘導するガイド部が形成されているので、誘導面に誘導された遊技球がスムーズにガイド部により入賞口に誘導される。また、ガイド部により、遊技球が開閉作動部材に接触することを防止することができ、円滑な開閉動作を行うことができる。
【００１６】
（５）によれば、ハウジングには、扉部材の回転軸線方向に動くプランジャーを有するソレノイドと、可動部材と、開閉作動部材が収納されており、開閉作動部材は回動軸が扉部材の側部より内側に設けられ、可動部材の進退運動により回動されるものとなっているので、可変入賞装置の奥行きをコンパクトにすることができる。
【００１７】
（６）によれば、開閉作動部材と前記可動部材には、扉部材に強制的に開放方向へ動作させようとする外力が作用した場合に前記扉部材の開放状態への動作を阻止するロック手段を備えているので、開閉作動部材による扉部材の閉鎖とあいまって、閉鎖状態ロック手段により不正を防止することができる。
（７）によれば、ロック手段は、開閉作動部材の軸支部の外周に設けられた凸状部と、ソレノイドのプランジャーに装着された可動部材に設けた凸状部とにより構成され、扉部材の閉鎖時に、開閉作動部材に回動力が付与されたとき、開閉作動部材の軸支部の凸状部が、ソレノイドのプランジャーがばねで戻された位置の可動部材の凸状部と当接することによりロックされるので、確実に不正を防止することができるとともに、ロック手段を設けたことによる可変入賞装置の大型化を防止することができる。
【００１８】
（８）によれば、本発明の遊技機は、上記可変入賞装置を遊技盤に固定配置したので、その他遊技盤に配置される役物の配置面積を確保できるとともに、不正行為を有効的に防止することができる。
【図面の簡単な説明】
【００１９】
【図１】本発明の実施形態に係る遊技機の一例を示す正面図である。
【図２】本発明の可変入賞装置の扉部材を開放状態とした斜視図である。
【図３】本発明の可変入賞装置の扉部材を開放状態とした斜視図である。
【図４】本発明の可変入賞装置の扉部材を閉鎖状態とした斜視図である。
【図５】可変入賞装置の平断面図である。
【図６】扉部材と、開閉作動部材と、駆動源の閉鎖状態の平面図と正面図である。
【図７】扉部材と、開閉作動部材と、駆動源の閉鎖状態の斜視図と背面図である。
【図８】扉部材と、開閉作動部材と、駆動源の開放状態の斜視図と背面図である。
【図９】可変入賞装置の扉部材の閉鎖状態、蹴り上げ状態、開放状態を示す要部断面図である。
【図１０】可変入賞装置の分解した斜視図である。
【発明を実施するための形態】
【００２０】
以下、本発明における実施形態を図面を参照しつつ説明する。
図１に示すように、遊技機１の遊技盤２の前面に、発射レール３、発射レール３に囲まれる遊技領域が形成され、遊技領域には中央部に特別図柄表示装置４が備えられ、特別図柄表示装置４の下部に始動入賞口５、可変入賞装置６等が備えられている。
【００２１】
本明細書において、上下方向とは遊技盤２の盤面に沿う形で遊技球が流下する方向（鉛直方向）、左右方向とは上下方向と交差する方向（水平方向）を言い、遊技者から見て左側、右側を言う。また、前後方向とは遊技盤２と交差（例えば直交）する方向で、遊技者側が前方側であり、その反対側が後方側となる。
【００２２】
図１に示すように、可変入賞装置６は、遊技盤２に固定するためのハウジング７の前面飾り板８を含んで構成され、前面飾り板８は、前後方向に貫通形成されるとともに、左右方向を長手方向とする矩形状の開口部９を有する。したがって、遊技球は、遊技盤２の盤面の遊技領域から開口部９を通じて可変入賞装置６の入賞領域へ導入される（図２参照）。
【００２３】
図２ないし図１０において、本発明の可変入賞装置６は、遊技盤２の前面側にて開口し、かつ内部に球通路１６を有すると共に球通路１６と連通する入賞口１８を有するハウジング７と、ハウジング７に対して開閉自在に設けられ、開口部９に対応して設けられた球受部１０ａと球受部１０ａの下部側部を回転軸部１１とする扉部材１０と、扉部材１０を開閉動作させる駆動源４０と、扉部材１０を開口部９に遊技球が流入可能な開放状態と流入不可能な閉鎖状態との間で作動させる開閉作動部材３０を備えている。扉部材１０は、開閉作動部材３０により開口部９に遊技球が入賞可能な開放状態と入賞不可能な閉鎖状態との間で作動される。
【００２４】
ハウジング７は、扉部材１０、球通路１６を設けた前面側ハウジング７ａと、駆動源４０を備える背面側ハウジング７ｂとにより構成されている。
前面側ハウジング７ａは、前面側に扉部材１０との間に遊技球が転入しうる球通路１６を存して区画壁１７が設けられ、区画壁１７の一側に入賞口１８が設けられている。そして、背面側には、入賞口１８に合致させて備える入賞球が通過する検知用口２２を有する入賞球検知器２１が備えられている。
背面側ハウジング７ｂは、前面側の左側に入賞球排出通路２３を形成し、かつ背面側に駆動源４０としてのソレノイド４１を収容する収容部２４が扉部材１０と平行に設けられている。ソレノイド４１は、扉部材１０の回転軸線方向に動くプランジャー４２を有し、プランジャー４２に駆動力を扉部材１０に伝動する可動部材４３が連結され、扉部材１０との間に備えた開閉作動部材３０をソレノイド４１の駆動により作動して扉部材１０を開閉動作させる。２５は、ソレノイド４１を収容部２４に装着後に取り付ける背面板である。この背面板２５は、樹脂板でもよいが、ソレノイド４１の熱を効率よく逃がすために金属板が好ましい。
【００２５】
前面側ハウジング７ａと背面側ハウジング７ｂの他側には、開閉作動部材３０を備えるための開口２６、２７が設けられている。そして、前面側ハウジング７ａと背面側ハウジング７ｂの開口２６、２７を通じて開閉作動部材３０の回転中心とする回動軸２９が扉部材１０に対して直交する方向に軸支されている。２８は回動軸２９の軸受けである。
【００２６】
開閉作動部材３０は、ハウジング７に扉部材１０の回転軸と直交する方向に回動軸２９を有し、回動軸２９が扉部材１０の側壁部１０ｂより内側に設けられ、可動部材４３の進退運動により回動されるものとなっている。開閉作動部材３０には、ハウジング７に回動自由に軸支された軸支部３１と、軸支部３１より前方へ延び、扉部材１０が閉鎖状態のとき蹴り上げ面１３の下方に臨ませる作動部３３が設けられている。
開閉作動部材３０の軸支部３１は、ハウジング７に設けた軸受け２８に軸支した回動軸２９に回動自由に備え、軸支部３１の側部に設けられた作動基体３２の一端側（前面側）に扉部材１０の蹴り上げ面１３、突起部１５に当接可能な作動部３３を備え、作動基体３２の他端側（背面側）に可動部材４３の連繋部４４に直交する方向に係合可能な係合軸部３５とを有する。
開閉作動部材３０の作動部３３は、回動軸２９を中心として回動され、扉部材１０の閉鎖時は、突起部１５を押し下げた位置にあり、扉部材１０の開放時は、突出リブ１２の背面側の蹴り上げ面１３に当たる蹴り上げる位置に移行し、さらに蹴り上げ面１３より上方の離反した位置へ移行する。
【００２７】
扉部材１０は、前面飾り板８に開口する開口部９に対応して設けられた球受部１０ａと、球受部１０ａの両側に遊技球を確実に受け入れ球受部１０ａからの球零れを防止する側壁部１０ｂを有し、かつ左右下縁部にそれぞれ左右方向に水平な回転軸部１１を有し、これらの回転軸部１１は、ハウジング７の開口部９の下方周縁部において回動自在に軸支されている。扉部材１０は、遊技盤２に沿って起立することにより開口部９を閉鎖する閉鎖位置と、その閉鎖位置から前方側に倒伏して開口部９を開放する開放位置とに回動変位する。したがって、扉部材１０は、回転軸部１１を中心として前方向へ回動され開口部９を開いて遊技球を流入可能とし、後方向へ回動され開口部９を閉じて遊技球が入らないようにする。
【００２８】
図２ないし図９において、本発明の可変入賞装置６の扉部材１０は、内面を球受部１０ａとし、球受部１０ａに扉部材１０の開放時に遊技球を球通路１６に誘導する誘導面１２ａと扉部材１０を開放する際に開閉作動部材３０が当接可能な蹴り上げ面１３とを有する突出リブ１２が設けられている。
【００２９】
図２、図５ないし図８に示すように、突出リブ１２は、扉部材１０の回転軸部１１より上部背面でかつ側壁部１０ｂの内面からハウジング７の前面の球通路１６の長手方向に先端を臨ませるように凸状に一体形成してあり、扉部材１０を開放する際に開閉作動部材３０が当接可能な蹴り上げ面１３を有する（図９参照）。蹴り上げ面１３は、回転軸部１１より上方に形成されている。蹴り上げ面１３は、回転軸部１１より上方に形成されているので、球受部１０ａの高さ（扉部材１０の高さ）内で開閉作動部材３０（作動部）と当接でき、高さ方向をコンパクトにすることができる。
また、突出リブ１２は、扉部材１０が傾倒した状態における前面側（蹴り上げ面１３の反対側）を誘導面１２ａとして円弧状に形成して、ハウジング７内の球通路１６に遊技球を円滑に導入して入賞口１８の方向に誘導できるようにするのが好ましい。突出リブ１２は、遊技球が開閉作動部材３０との接触を防いで、開閉作動部材３０の動作の妨げとならないようにしている。
【００３０】
図９に示すように、開閉作動部材３０の作動部３３の前端部３３ａが蹴り上げ面１３に当接可能としている。しかして、開閉作動部材３０の回動により蹴り上げ面１３を蹴り上げることにより扉部材１０が開放方向に回動され、自重とあいまって開放位置まで回動される。
【００３１】
図９に示すように、扉部材１０には、作動部３３に当接し、扉部材１０を閉鎖状態に維持する突起部１５が蹴り上げ面１３の下方位置に間隔を存して形成されている。そのため、球受部１０ａの横幅（扉部材の横幅）内に配置でき、扉部材１０の横幅をコンパクトにすることができる。
突起部１５は、扉部材１０に対してほぼ直交する方向に形成されて開閉作動部材３０が当接するようにする。突起部１５は、開閉作動部材３０の作動部３３とほぼ同じ幅としてある。
蹴り上げ面１３と突起部１５との間の間隔は開閉作動部材３０の作動部３３の前端部３３ａより広くし遊びを存して臨ませてある。突出リブ１２と突起部１５により凹部１４が形成され、開閉作動部材３０の前端部３３ａが凹部１４に挿入され、開閉作動部材３０の上方移動で蹴り上げ面１３を蹴り上げ可能とし、下方移動で突起部１５を押し下げ可能としてある。
【００３２】
図９（イ）、（ロ）、（ハ）に扉部材１０と開閉作動部材３０との閉鎖状態、蹴り上げ状態、開放状態を示す。
扉部材１０は、開閉作動部材３０により突起部１５が押し下げられたとき、閉鎖状態とされ、扉部材１０が開口部９を閉鎖する位置に起立するようにしてある（図９（イ）参照）。
開閉作動部材３０の回動により、扉部材１０の突出リブ１２の蹴り上げ面１３が蹴り上げられて開放される状態とされる（図９（ロ）参照）。
開閉作動部材３０の回動による蹴り上げ作用と、扉部材１０の自重により扉部材１０が開放状態となる（図９（ハ）参照）。
【００３３】
球通路１６には、突出リブ１２の誘導面１２ａと連続するように遊技球を入賞口１８に誘導するガイド部２０が形成されている。そのため、誘導面１２ａに誘導された遊技球がスムーズにガイド部２０により入賞口１８に誘導される。また、突出リブ１２とガイド部２０との間を遊技球の直径より狭い間隔に設定することにより、扉部材１０の開放時に、遊技球が開閉作動部材３０に接触することを防止することができ、円滑な開閉動作を行うことができる。
ガイド部２０は、球通路１６の一側（図では右側）に遊技球のほぼ中心を受けるように突出して設けられている。ガイド部２０の誘導面２０ａが突出リブ１２の後端より球通路１６側へ傾斜状に形成されている。突出リブ１２に沿って導入される遊技球がガイド部２０に沿って球通路１６に誘導される。扉部材１０の突出リブ１２の先端の後方にガイド部２０の前端を位置させ、突出リブ１２の円弧状誘導面１２ａとガイド部２０の傾斜状誘導面２０ａがほぼ連続状態になるようにして、遊技球を円滑に受け継いで球通路１６に誘導できるようにするのが好ましい。
【００３４】
図６ないし図８において、開閉作動部材３０をソレノイド４１により回動する構造について説明する。
開閉作動部材３０の作動基体３２には扇状板部３４が形成され、扇状板部３４の背面側周面に可動部材４３の連繋部４４に係合可能な係合軸部３５が備えられている。係合軸部３５は、ソレノイド４１の可動部材４３の貫通孔４４ａに挿入され、ソレノイド４１の可動部材４３の連繋部４４の摺動運動により回動軸２９を中心として回動される。
作動基体３２は、扇状板部３４の前面側の軸支部３１の側部に、係合軸部３５とは中心角が約９０度の位置に一体に設けられている。作動部３３は、作動基体３２の前部で突出リブ１２の背面側の突起部１５に臨ませる位置に設けられる。
なお、３６は、前面側ハウジング７ａの両側に設け、取付部材３７を固定する取付部と、前面飾り板８（図１参照）を組み付ける組付部とを有する両側取付部である。３７は、両側取付部３６の前面に被せて取り付ける取付部材で、扉部材１０の両側の回転軸部１１を軸支し、前面側ハウジング７ａに前方側から固定する（図２ないし図４参照）。
【００３５】
開閉作動部材３０は、回動軸２９が前面側の扉部材１０の端面より内側に位置していて、回動軸２９を中心として回動される扇状板部３４も扉部材１０の端面の内側になるようにするのが好ましい。したがって、上記構成とすれば、可変入賞装置のハウジング７の横幅をコンパクトにでき、遊技盤の可変入賞装置を取り付ける箇所が狭くなったことに対応することができる。
【００３６】
ソレノイド４１は、プランジャー４２に開閉作動部材３０を連動するための連繋部４４を有する可動部材４３を備えてある。可動部材４３は、一端にプランジャー４２のプランジャーヘッド４２ａを嵌める係止孔４３ａが設けられ、かつ他端に連繋部４４が形成されている。可動部材４３は、係止孔４３ａにプランジャー４２のプランジャーヘッド４２ａが備えられて、プランジャー４２により軸方向に進退可能とされる。そして、可動部材４３の連繋部４４には、四角形の貫通孔４４ａが設けられる。貫通孔４４ａに開閉作動部材３０に設けた係合軸部３５が挿入される。開閉作動部材３０に設けた係合軸部３５は、貫通孔４４ａ内に遊合されている。４５はプランジャー４２を復帰方向に付勢するばねである。
ソレノイド４１のプランジャー４２の進退により連繋部４４が軸方向に摺動され、連繋部４４の貫通孔４４ａに挿入された開閉作動部材３０に設けた係合軸部３５が回動軸２９を中心として回動される。
【００３７】
ソレノイド４１が励磁されると、図８においてプランジャー４２がばね４５の付勢に抗して右方向に移動され、可動部材４３がばね４５に抗して引きつけられ、可動部材４３の連繋部４４の四角形の貫通孔４４ａで開閉作動部材３０の係合軸部３５は軸方向に右へ移動されながら回動軸２９を中心として回動され、開閉作動部材３０の作動部３３の前端部３３ａが上方に移動されて扉部材１０の突出リブ１２の蹴り上げ面１３を蹴り上げて、扉部材１０が前方方向へ開かれる（図９（ロ）参照）。そして、扉部材１０は自重とあいまって開放状態とされる（図８（イ）、（ロ）、図９（ハ）参照）。
ソレノイド４１が消磁されると、図７においてプランジャー４２がばね４５の付勢により押し出され、左方向に移動され、連繋部４４の四角形の貫通孔４４ａで開閉作動部材３０の係合軸部３５は左へ移動されながら回動軸２９を中心として回動され、開閉作動部材３０の作動部３３の前端部３３ａが下方に移動し、扉部材１０の突起部１５を押し下げて扉部材１０が起立状態（閉鎖状態）となる（図６（イ）、（ロ）、図７（イ）、（ロ）参照）。
【００３８】
本発明の可変入賞装置６によれば、扉部材１０の開放時に突出リブ１２とガイド部２０で遊技球を球通路１６を通じて入賞口１８へ円滑かつ確実に誘導でき、さらに開閉作動部材３０により突出リブ１２の背面の蹴り上げ面１３を蹴り上げて確実に開放できる。また、開閉作動部材３０は回動軸２９が前面側の扉部材１０の端面より内側に位置させて横幅を狭くできるとともに、ハウジング７の背面側のソレノイド４１及びソレノイド４１のプランジャー４２が扉部材１０と平行に配置されているので、奥行きを短くでき可変入賞装置６の全体をコンパクトにすることができる。
【００３９】
図７及び図８に示すように、開閉作動部材３０と可動部材４３には、扉部材１０に強制的に開放方向へ動作させようとする外力が作用した場合に扉部材１０の開放状態への動作を阻止するロック手段５０を備えている。
【００４０】
ロック手段５０は、開閉作動部材３０の軸支部３１の外周に設けられた開閉作動部材側凸状部５１と、ソレノイド４１のプランジャー４２に装着された可動部材４３に設けた可動部材側凸状部５２とにより構成され、扉部材１０の閉鎖時に、扉部材１０に強制的に開放方向へ動作させようとする外力が作用した場合に、開閉作動部材側凸状部５１が可動部材側凸状部５２と当接することにより扉部材１０の開放状態への動作を阻止する。
【００４１】
具体的には、連繋部４４に設けた四角形の貫通孔４４ａの先端側内面４４ｂと係合軸部３５との間に可動部材側凸状部５２を開閉作動部材側凸状部５１の回動範囲より離間させるための隙間４４ｃを設ける。隙間４４ｃは、少なくとも凸状部５１が突出する長さよりも長くする。
よって、連繋部４４が隙間４４ｃだけソレノイド４１側に移動して可動部材側凸状部５２が開閉作動部材側凸状部５１より外れるようにし、逆に、連繋部４４が隙間４４ｃだけソレノイド４１とは反対側に移動して開閉作動部材３０の軸支部３１の開閉作動部材側凸状部５１の回動範囲に、可動部材４３に設けた可動部材側凸状部５２が位置して、可動部材側凸状部５２と開閉作動部材側凸状部５１が当接してロックされるようにしてある。
【００４２】
ソレノイド４１の励磁により連繋部４４が先ず隙間４４ｃのストローク移動して先端側内面４４ｂが係合軸部３５に当接するまでに可動部材側凸状部５２が開閉作動部材側凸状部５１の回動範囲より離脱される。その後、連繋部４４の摺動により係合軸部３５は回動軸２９を中心として回動されて扉部材１０が開放状態となる。
ソレノイド４１の消磁によりばね４５の付勢で連繋部４４が摺動されると係合軸部３５は回動軸２９を中心として回動され扉部材１０が閉鎖状態となる。さらに、可動部材４３は、先端側内面４４ｂが係合軸部３５との隙間４４ｃとなる位置まで、言い換えれば、開閉作動部材側凸状部５１の回動範囲の下側に可動部材側凸状部５２が位置するまで進出し、ロック状態となる。
【００４３】
このように、開閉作動部材３０と、可動部材４３とに扉部材１０を閉鎖状態に保持するロック手段５０を備えれば、大型化することなく、不正行為、例えば針金等を使用して不正に扉部材を開放させようとすることを防止することができる。
【００４４】
本発明の遊技機は、前記した可変入賞装置が遊技盤に固定配置されたことを特徴とする。
本発明の遊技機は、前記の可変入賞装置をコンパクトとしたことにより、遊技領域内の役物の配置を多様化するとともに、不正防止に優れた遊技機とすることができる。
【００４５】
本発明では遊技機の一例として特別図柄表示装置の下方に大入賞口を設けたパチンコ機について説明したが、これに限られるものではなく、例えば、大入賞口を特別図柄表示装置の下方に配置するほかに右側に別の入賞口を備えたパチンコ機にも適用することができる。
【符号の説明】
【００４６】
１  パチンコ機（遊技機）
２  遊技盤
７  ハウジング
７ａ  前面側ハウジング
７ｂ  背面側ハウジング
８  前面飾り板
９  開口部
１０  扉部材
１０ｂ  側壁部
１１  回転軸部
１２  突出リブ
１２ａ  誘導面
１３  蹴り上げ面
１４  凹部
１５  突起部
１６  球通路
１７  区画壁
１８  入賞口
２０  ガイド部
２０ａ  誘導面
２１  入賞球検知器
２２  検知用口
２５  背面板
２８  軸受け
２９  回動軸
３０  開閉作動部材
３１  軸支部
３２  作動基体
３３  作動部
３３ａ  前端部
３４  扇状板部
３５  係合軸部
３６  取付部
３７  取付部材
４０  駆動源
４１  ソレノイド
４２  プランジャー
４２ａ  プランジャーヘッド
４３  可動部材
４３ａ  係止孔
４４  連繋部
４４ａ  貫通孔
４４ｂ  先端側内面
４４ｃ  隙間
４５  ばね
５０  ロック手段
５１  開閉作動部材側凸状部
５２  可動部材側凸状部
【図１】
2010264105.tif 000003
【図２】
2010264105.tif 000004
【図３】
2010264105.tif 000005
【図４】
2010264105.tif 000006
【図５】
2010264105.tif 000007
【図６】
2010264105.tif 000008
【図７】
2010264105.tif 000009
【図８】
2010264105.tif 000010
【図９】
2010264105.tif 000011
【図１０】
2010264105.tif 000012